(57)【要約】      （修正有）【課題】ポータブルトロリーを提供する。【解決手段】第一サイドブラケット１１、第二サイドブラケット１２及びシャーシブラケット１３を含み、シャーシブラケット１３に前輪及び後輪１４は設けられ、前輪はユニバーサル輪１５であり、ユニバーサル輪１５は一対のものであり、一対のユニバーサル輪はシャーシブラケット１３の両側にそれぞれに設置され、各ユニバーサル輪１５はユニバーサル輪のベアリング１５１にそれぞれに設置され、二つのユニバーサル輪のベアリング１５１の一端はいずれもシャーシブラケット１３にヒンジで接続され、二つのユニバーサル輪のベアリング１５１の他端間に接続ロッド２１は固定され、接続ロッド２１はシャーシブラケット１３の下方に位置する。ポータブルトロリーは、前輪が任意に回転でき、更に使用しやすく、ユニバーサル輪１５がシャーシブラケット１３に対して回転でき、折り畳まれた後の体積がより小さく、更に携帯しやすい。【選択図】図１
0003205344.tif 000002
【実用新案登録請求の範囲】
【請求項１】
第一サイドブラケット（１１）、第二サイドブラケット（１２）及びシャーシブラケット（１３）を含み、シャーシブラケット（１３）に後輪（１４）が設けられるポータブルトロリーであって、前記シャーシブラケット（１３）に前輪は更に設けられ、前記前輪はユニバーサル輪（１５）であることを特徴とするポータブルトロリー。
【請求項２】
請求項１に記載のポータブルトロリーであって、前記ユニバーサル輪（１５）は一対のものであり、一対の前記ユニバーサル輪（１５）は前記シャーシブラケット（１３）の両側にそれぞれに設置され、各前記ユニバーサル輪（１５）はユニバーサル輪のベアリング（１５１）にそれぞれに設置され、二つの前記ユニバーサル輪のベアリング（１５１）の一端はいずれも前記シャーシブラケット（１３）にヒンジで接続され、二つの前記ユニバーサル輪のベアリング（１５１）の他端間に接続ロッド（２１）は固定され、前記接続ロッド（２１）は前記シャーシブラケット（１３）の下方に位置することを特徴とするポータブルトロリー。
【請求項３】
請求項２に記載のポータブルトロリーであって、二つの前記ユニバーサル輪のベアリング（１５１）の上表面にいずれも凹溝（１５２）は設置され、前記シャーシブラケット（１３）の底部は二つの前記凹溝（１５２）に嵌装されることを特徴とするポータブルトロリー。
【請求項４】
請求項３に記載のポータブルトロリーであって、前記接続ロッド（２１）に接続バックル（２２）は套装され、前記接続バックル（２２）は前記接続ロッド（２１）に対して回転でき、前記接続バックル（２２）に前記シャーシブラケット（１３）における前部クロスロッド（１３１）に適応する接続溝（２２１）は設置されることを特徴とするポータブルトロリー。
【請求項５】
請求項４に記載のポータブルトロリーであって、前記シャーシブラケット（１３）に一組の固定ロッド（１３２）は更に設置されることを特徴とするポータブルトロリー。
【考案の詳細な説明】
【技術分野】
【０００１】
本考案はトロリーに関し、具体的にポータブルトロリーに関する。
【背景技術】
【０００２】
小型のトロリーは人々が旅行又は毎日のショッピングをする時に非常に広く応用され、トロリーは折り畳み可能であるので、使用しない時にそれを折り畳み、携帯して、保存しやすい；従来のトロリーは、人々の旅にいくつかの利便性を提供するが、従来のトロリーに後輪だけが設けられるので、使用時に傾斜して二つの輪で引き動かされなければならず、且つ前後でプッシュできるが、全方位に回転できない。
【考案の概要】
【０００３】
本考案はポータブルトロリーを提供し、それは前輪が設けられ、傾斜して引き動かして又は垂直にプッシュでき、且つ前輪が任意に回転でき、更に使用しやすいことを目的とする。
【０００４】
上記目的を実現するために、本考案の技術的解決手段は以下の通りである：ポータブルトロリーであって、第一サイドブラケット、第二サイドブラケット及びシャーシブラケットを含み、シャーシブラケットに前輪及び後輪は設けられ、前記前輪はユニバーサル輪である。
【０００５】
本考案のポータブルトロリーであって、前記ユニバーサル輪は一対のものであり、一対の前記ユニバーサル輪は前記シャーシブラケットの両側にそれぞれに設置され、各前記ユニバーサル輪はユニバーサル輪のベアリングにそれぞれに設置され、二つの前記ユニバーサル輪のベアリングの一端はいずれも前記シャーシブラケットにヒンジで接続され、二つの前記ユニバーサル輪のベアリングの他端間に接続ロッドは固定され、前記接続ロッドは前記シャーシサポートの下方に位置する。
【０００６】
本考案のポータブルトロリーであって、二つの前記ユニバーサル輪のベアリングの上表面にいずれも凹溝は設置され、前記シャーシブラケットの底部は二つの前記凹溝に嵌装される。
【０００７】
本考案のポータブルトロリーであって、前記接続ロッドに接続バックルは套装され、前記接続バックルは前記接続ロッドに対して回転でき、前記接続バックルに前記シャーシブラケットにおける前部クロスロッドに適応する接続溝は設置される。
【０００８】
本考案のポータブルトロリーであって、前記シャーシブラケットに一組の固定ロッドは更に設置される。
【０００９】
上記方案を採用すると、従来の技術に比べて本考案のポータブルトロリーはユニバーサル輪である前輪、前輪が設けられるので、傾斜方向に沿って引き動かして又は垂直方向に沿ってプッシュでき、更に全方位に回転でき、更に使用しやすくなる。
【００１０】
また、ユニバーサル輪のベアリングの一端はシャーシブラケットにヒンジで接続され、二つのユニバーサル輪のベアリングの他端間に接続ロッドは固定されるので、接続ロッドはユニバーサル輪を動かしてシャーシブラケットに対して回転させ、それによってユニバーサル輪を回転させ、折り畳まれた後の体積がより小さく、更に携帯しやすい；ユニバーサル輪のベアリングの上表面に凹溝は設置され、接続ロッドに接続バックルは套装されるように、本考案のポータブルトロリーの構造を更に安定化させる。
【図面の簡単な説明】
【００１１】
【図１】本考案のポータブルトロリーの開状態での構造模式図である。
【図２】本考案のポータブルトロリーの折り畳み状態での構造模式図である。
【考案を実施するための形態】
【００１２】
図１に示すように、本考案のポータブルトロリーは第一サイドブラケット１１、第二サイドブラケット１２及びシャーシブラケット１３を含み、第一、第二サイドブラケット１１、１２は相互にヒンジで接続され、第二サイドブラケット１２とシャーシブラケット１３は相互にヒンジで接続され、シャーシブラケット１３に前輪及び後輪１４は設けられ、前輪は一対のユニバーサル輪１５を含み、一対のユニバーサル輪１５はシャーシブラケット１３の両側にそれぞれに設置され、各ユニバーサル輪１５はユニバーサル輪のベアリング１５１にそれぞれに設けられ、二つのユニバーサル輪のベアリング１５１の一端はいずれもシャーシブラケット１３にヒンジで接続され、二つのユニバーサル輪のベアリング１５１の他端間に接続ロッド２１は固定され、接続ロッド２１はシャーシブラケット１３の下方に位置し、二つのユニバーサル輪のベアリング１５１の上表面にいずれも凹溝１５２は設置され、シャーシブラケット１３の底部は二つの凹溝１５２に嵌装される。
【００１３】
図１、２に示すように、接続ロッド２１に接続バックル２２は套装され、接続バックル２２は接続ロッド２１に対して回転でき、接続バックル２２にシャーシブラケット１３における前部クロスロッド１３１の大きさ、形状に適応する接続溝２２１は設置され、シャーシブラケット１３に一組の固定ロッド１３２は更に設置され、シャーシブラケット１３に物品を置くと、固定ロッド１３２で物品を固定させる。
【００１４】
本考案のポータブルトロリーは使用時に、第一、第二サイドブラケット１１、１２をいずれも開け、接続ロッド２１が二つのユニバーサル輪１５を動かして図１に示す位置に回転させ、接続バックル２２を回転して前部クロスロッド１３１を接続溝２２１に配置させ、二つのユニバーサル輪の位置は一定になり、シャーシブラケット１３上は物品を置くことに用いられる；本考案のポータブルトロリーは保存又は携帯時に、図２に示すように、第一、第二サイドブラケット１１、１２及びシャーシブラケット１３をいずれも相互に折り畳み、接続バックル２２を回転して前部クロスロッド１３１と接続バックル２２を離脱させて、接続ロッド２１が二つのユニバーサル輪１５を動かして図２に示す位置に回転させる。
【００１５】
以上の前記実施例は本考案の好ましい実施方式を説明するが、本考案の範囲を限定するものではなく、本考案の設計精神から逸脱しない前提下で、当業者の本考案の技術的解決手段への各種の変形と改善は、いずれも本考案の実用新案登録請求の範囲が確定する保護範囲に含まれる。
【図１】
0003205344.tif 000003
【図２】
0003205344.tif 000004